【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
パケット交換ドメイン内に存在するユーザ機器において回線交換フォールバックを処理する方法であって、
前記パケット交換ドメイン内に位置するｅＮｏｄｅＢから前記回線交換フォールバックがサポートされていることを示すインジケーションを受信するステップ（７０５）と、
前記ｅＮｏｄｅＢを介して前記回線交換フォールバックに関連する回線交換ドメインに回線交換登録情報をトンネリング（７１５）することによって前記回線交換ドメインへの登録を行い、それによって前記ユーザ機器が回線交換呼をセットアップすること又は回線交換ページングを受信することを可能にするステップと、
前記ｅＮｏｄｅＢから回線交換固有のパラメータ設定を受信するステップ（７４５）であって、前記回線交換固有のパラメータ設定は、前記回線交換ドメインによって利用される擬似ランダム雑音（ＰＮ）オフセットを含む、ステップと、
受信された前記擬似ランダム雑音オフセットを適用することによって回線交換フォールバックの使用準備を整えるステップ（７５５）と、
前記パケット交換ドメインから前記回線交換ドメインに切り替えるステップ（７６５）と、
を含む方法。
【請求項２】
前記回線交換固有のパラメータ設定を受信するステップは、前記擬似ランダム雑音オフセットを含むメッセージを受信するステップを含み、前記メッセージは、１ｘＲＴＴ周波数帯域、１ｘＲＴＴキャリア周波数、ＣＤＭＡシステム時間、及びロング・コード・ステートのいずれか、又はそれらの組み合わせを含む、請求項１に記載の方法。
【請求項３】
前記メッセージは、リリース・アンド・リダイレクト・インジケーションを含む、請求項２に記載の方法。
【請求項４】
前記ｅＮｏｄｅＢから着信回線交換サービスのインジケーションを受信するステップ（７７５）
を更に含む、前記請求項のいずれかに記載の方法。
【請求項５】
前記ユーザ機器がアイドル・モードである場合に、
前記ユーザ機器を、前記回線交換フォールバックに関連する前記回線交換ドメインへの登録後、アイドル・モードからアクティブ・モードに遷移させるステップ（７２０）
を更に含む、前記請求項のいずれかに記載の方法。
【請求項６】
パケット交換ドメイン内に存在するｅＮｏｄｅＢにおいて回線交換フォールバックを処理する方法であって、
前記回線交換フォールバックがサポートされていることを示すインジケーションを前記パケット交換ドメイン内に位置するユーザ機器に送信し、前記ｅＮｏｄｅＢを介して前記回線交換フォールバックに関連する回線交換ドメインに回線交換登録情報をトンネリングすることによって前記回線交換ドメインへの前記ユーザ機器の登録をイネーブルし、それによって前記ユーザ機器が回線交換呼をセットアップすること又は回線交換ページングを受信することを可能にするステップ（７００）と、
回線交換サービス要求を前記ユーザ機器から受信する、又は回線交換サービスが要求されたことを示すインジケーションを別のノードから受信するステップ（７３０）と、
回線交換固有のパラメータ設定を前記ユーザ機器に送信するステップ（７４０）であって、前記回線交換固有のパラメータ設定は、前記回線交換ドメインによって利用される擬似ランダム雑音（ＰＮ）オフセットを含む、ステップを含む方法。
【請求項７】
前記回線交換固有のパラメータ設定を送信するステップは、前記擬似ランダム雑音オフセットを含むメッセージを送信するステップを含み、前記メッセージは、１ｘＲＴＴ周波数帯域、１ｘＲＴＴキャリア周波数、ＣＤＭＡシステム時間、及びロング・コード・ステートのいずれか、又はそれらの組み合わせを含む、請求項６に記載の方法。
【請求項８】
前記メッセージは、リリース・アンド・リダイレクト・インジケーションを含む、請求項７に記載の方法。
【請求項９】
パケット交換ドメイン内に存在するユーザ機器において回線交換フォールバックをイネーブルする装置であって、
前記パケット交換ドメイン内に位置するｅＮｏｄｅＢから回線交換フォールバックがサポートされていることを示すインジケーションを受信するように構成された受信手段（９０５）と、
前記ｅＮｏｄｅＢを介して前記回線交換フォールバックに関連する回線交換ドメインに回線交換登録情報をトンネリングすることによって前記回線交換ドメインへの登録を行い、それによって前記ユーザ機器が回線交換呼をセットアップすること又は回線交換ページングを受信することを可能にするように構成されたトランシーバ手段（９０５）と、
回線交換固有のパラメータ設定を受信するように構成された受信手段（９０５）であって、前記回線交換固有のパラメータ設定は、前記回線交換ドメインによって利用される擬似ランダム雑音（ＰＮ）オフセットを含む、前記受信手段と、
受信された前記擬似ランダム雑音オフセットを適用することによって回線交換フォールバックの使用準備を整え、前記回線交換ドメインに切り替えるように構成された処理手段（９１０）と、
を備えることを特徴とする装置。
【請求項１０】
前記回線交換固有のパラメータ設定を受信する受信手段は、前記擬似ランダム雑音オフセットを含むメッセージを受信することによって、前記回線交換固有のパラメータ設定を受信し、前記メッセージは、１ｘＲＴＴ周波数帯域、１ｘＲＴＴキャリア周波数、ＣＤＭＡシステム時間、及びロング・コード・ステートのいずれか、又はそれらの組み合わせを含む、請求項９に記載の装置。
【請求項１１】
前記メッセージは、リリース・アンド・リダイレクト・インジケーションを含む、請求項１０に記載の装置。
【請求項１２】
前記ｅＮｏｄｅＢから着信回線交換サービスを受信するように構成された受信手段（９０５）
を更に備える、請求項９乃至１１に記載の装置。
【請求項１３】
前記ユーザ機器がアイドル・モードである場合に、
前記ユーザ機器を、前記回線交換フォールバックに関連する前記回線交換ドメインへの登録後、アイドル・モードからアクティブ・モードに遷移させるように構成された処理手段（９１０）
を更に備える、請求項９乃至１２に記載の装置。
【請求項１４】
パケット交換ドメイン内に存在するｅＮｏｄｅＢにおいて回線交換フォールバックをイネーブルする装置であって、
前記回線交換フォールバックがサポートされていることを示すインジケーションを前記パケット交換ドメイン内に位置するユーザ機器に送信し、前記ｅＮｏｄｅＢを介して前記回線交換フォールバックに関連する回線交換ドメインに回線交換登録情報をトンネリングすることによって前記回線交換ドメインへの前記ユーザ機器の登録をイネーブルし、それによって前記ユーザ機器が回線交換呼をセットアップすること又は回線交換ページングを受信することを可能にするように構成された送信手段（１０２０）と、
回線交換サービス要求を前記ユーザ機器から受信する、又は回線交換サービスが要求されたことを示すインジケーションを別のノードから受信するように構成された受信手段（１０２０）と、
回線交換固有のパラメータ設定を前記ユーザ機器に送信するように構成された送信手段（１０２０）であって、前記回線交換固有のパラメータ設定は、前記回線交換ドメインによって利用される擬似ランダム雑音（ＰＮ）オフセットを含む、前記送信手段と、
を備えることを特徴とする装置。
【請求項１５】
前記回線交換固有のパラメータ設定を送信する送信手段は、前記擬似ランダム雑音オフセットを含むメッセージを送信することによって、前記回線交換固有のパラメータ設定を送信し、前記メッセージは、１ｘＲＴＴ周波数帯域、１ｘＲＴＴキャリア周波数、ＣＤＭＡシステム時間、及びロング・コード・ステートのいずれか、又はそれらの組み合わせを含む、請求項１４に記載の装置。
【請求項１６】
前記メッセージは、リリース・アンド・リダイレクト・インジケーションを含む、請求項１５に記載の装置。